(57)【要約】【課題】  簡単な構造でカードのストックを行なうことができるばかりでなく、処理中のカードの保護及び不正使用の防止を図る。【解決手段】  カードリーダライタユニット本体１の固定フレーム１ｂの前方に、一端にカード挿入口２を閉蓋するフラップ１０ａと他端に、収納されたカード３を押し上げる突条１０ｂが一体的に設けられたシャッタープレート１０を回転軸１０ｃでもって軸承してシーソー状に傾動可能に取り付ける。シャッタープレート１０の突条１０ｂ側の下方にはカードリフト用ギャードモータ１１に取付けられたカードリフト用カム１２を配し、シャッタープレート１０の突条１０ｂ側下面に当接するように構成する。【選択図】  図１
2005092776.tif 000002
【特許請求の範囲】
【請求項１】
カード挿入口から挿入されたカードに残高数のデータ読み取り及び書き込みを行うリードライト部を備えたカードリーダライタユニットであって、前記リードライト部の奥側に、残高数が無くなったカード又は再使用可能に処理されたカードを順次重ねて収納するカードストック部を設けると共に、一端にカード挿入口を閉蓋するフラップと他端にストックされたカードを押し上げる突条が一体的に設けられたシャッタープレートを有することを特徴とするカードリーダライタユニット。
【請求項２】
シャッタープレートがシーソー状に傾動可能に取り付けられていることを特徴とする請求項１記載のカードリーダライタユニット。
【発明の詳細な説明】
【技術分野】
【０００１】
本発明は、ＩＣカード等を利用する機器に取り付けられるカードリーダライタユニットに関し、とくに視聴覚機器のタイマー装置や遊技機の玉貸出し機等に使用して好適なカードリーダライタユニットに関する。
【背景技術】
【０００２】
従来、病院等において、入院患者が、病室に設置された電気機器、例えばテレビの視聴料金を精算する技術として、磁気カードやＩＣカード方式のタイマー装置を用いたものがある。この方式は、テレビの視聴（利用）可能度数等（以下、情報という）を予め記録したカードをタイマー装置に挿入し、カードに記録された視聴可能度数に応じた所定時間内での視聴を可能としている（例えば、特許文献１参照。）。
【０００３】
また、遊技場に置かれるパチンコ玉貸出し機等にもこようなカードリーダライタユニットが組み込まれており、カードリーダライタユニットのカード挿入口に所定金額のプリペイドカードが差し込まれると、選択した金額に応じた個数のパチンコ玉が払い出されるようになっている。この場合、カード残高が残っていれば遊技者にカードは返却されるが、残っていなければ返却又はカードリーダライタユニット内にカードが収納されカードは返却されない。
【０００４】
ところで、上述のようなカードリーダライタユニットにおいて、カードに記録された情報を読み取って精算処理等を行なう機能と、使用済みのカードを回収して、且つ、この回収したカードに再度情報を書き込んで発行する機能を備え、回収したカードを積層して収納するカードストック部を備えたものがある（例えば、特許文献２参照。）。
【０００５】
【特許文献１】特開２０００−３１５２８１号公報（第２頁−第３頁、図１）
【特許文献２】特開平１０−２５４９９９号公報（第２頁−第３頁、図１−図３）
【発明の開示】
【発明が解決しようとする課題】
【０００６】
このような、カードリーダライタユニットにおいては、簡単な構造で効率良くカードのストックや排出を行なうことが重要な課題であり、また一方では、処理中のカードの保護や第三者による不正使用の防止対策が要求される。
【課題を解決するための手段】
【０００７】
本発明は、カード挿入口から挿入されたカードに残高数のデータ読み取り及び書き込みを行うリードライト部を備えたカードリーダライタユニットであって、前記リードライト部の奥側に、残高数が無くなったカード又は再使用可能に処理されたカードを順次重ねて収納するカード収納部を設けると共に、一端にカード挿入口を閉蓋するフラップと他端に収納されたカードを押し上げる突条が一体的に設けられたシャッタープレートを有することを第１の特徴とする。また、シャッタープレートがシーソー状に傾動可能に取り付けられていることを第２の特徴とする。
【発明の効果】
【０００８】
本発明によれば、簡単な構造で効率良くカードのストックを行なうことができるばかりでなく、処理中のカードの保護及び不正使用の防止を図ることができる。
【発明を実施するための最良の形態】
【０００９】
以下に、本発明の一実施例を図面に基づいて説明する。
図１は本発明に係るカードリーダライタユニットの待機状態を示す側面図、図２はカード処理中の状態を示す側面図である。
【実施例】
【００１０】
図１において、略平板形のカードリーダライタユニット本体１は、固定フレーム１ｂに対して開閉可能な可動フレーム１ａを有し、カードリーダライタユニット本体１の前面にはカード引込口２が形成されている。このカード引込口２の前方には、非接触式のリードライト（Ｒ／Ｗ）部４が設けられている。すなわち、リードライト（Ｒ／Ｗ）部の奥方側に使用済みになったカード３が収納されるカードストック部５が設けられる。リードライト（Ｒ／Ｗ）部４は、カード挿入口から挿入されたカード３に残高数のデータ読み取り及び書き込みを行い、とくに残高数が無くなったカード３に対しては再使用可能な状態に初期化するものである。このリードライト部４にはカード搬送手段６が設けられ、カード搬送手段６は下側駆動ローラ６ｂと上側従動ローラ６ａからなっている。駆動ローラ６ｂは駆動モータ７により減速機８を介してベルトで連結され、正逆転両方向に回転駆動可能とされている。
【００１１】
固定フレーム１ｂの前方には、一端にカード挿入口２を閉蓋するフラップ１０ａと他端に、収納されたカード３を押し上げる突条１０ｂが一体的に設けられたシャッタープレート１０が支軸１０ｃでもって軸承されてシーソー状に傾動可能に取り付けられている。シャッタープレート１０の突条１０ｂ側の下方にはカードリフト用ギャードモータ１１に取付けられたカードリフト用カム１２が配され、シャッタープレート１０の突条１０ｂ側下面に当接するようにされている。
【００１２】
カード搬送手段６の後方近傍（図１の右側）、つまりカード引込み方向側には１枚のカード３のみが通過可能な間隔に設定されたゲート部９が配設され、また、可動フレーム１ａには、スプリング１３でもって下方に付勢されるカード保持板１４が設けられ、このカード保持板１２は、カードストック部５に積層して収納された複数のカード３を上方から押圧して安定保持するできるようにされている。尚、図中１５はストックされたカードの満杯状態を検知するセンサーである。
【００１３】
すなわち、カードストック部５は、リードライト部４のカード挿入方向側に設けられるもので、使用後のカード３を収容するスペースとなる。ここでは、リードライト部４から搬送されるカード３を順次下から積み重ねて収容し数十枚収納できるようにされている。
【００１４】
次に、本実施例の作用について説明する。
図１に示すように、カードリフト用ギャードモータ１１に回動指示信号が送られカードリフト用カム１２が回転すると、シャッタープレート１０の突条１０ｂ側下面を上方に押し上げる。この押し上げ操作により、シャッタープレート１０のフラップ１０ａ側端部は下方に傾動して、カード挿入口２が開口し、カード挿入口２からカード３が挿入可能になる。挿入されたカード３はカード搬送手段６によって搬送され、その先端側がゲート９を通過し、シャッタープレート１０の突条１０ｂによって押し上げられてストックカードの下端に生じた隙間に入り込むように位置する。この状態でカードリフト用ギャードモータ１１に再度回動指示信号が送られると、図２に示すようにシャッタープレート１０の突条１０ｂ側が下動し、同時にシャッタープレート１０のフラップ１０ａ側端部が上動してカード挿入口２を閉蓋する。
【００１５】
カード３はリードライト部４にて残高度数が電磁気的にリード・ライトされデータ更新される。そして、カード残高が残っていれば、カード３はカード挿入口に戻り返却される。一方、カード残高が残っていなければ、カード３のデータが再使用可能な状態に初期化された後、カード搬送ローラ６の駆動ローラ６ｂがさらに時計方向に回転し、カード３はゲート部９の間を通って、カードストック部５側に引込まれて収納される。このように、使用済みのカード３は再使用可能な状態に初期化された後、カードストック部５に順次積層して収容される。
【００１６】
以上のように本実施例では、ストックされたカードをシャッタープレート１０の突条１０ｂによって押し上げて隙間を作るという簡単な操作で、新たなカード３の引き込み動作が可能になるばかりでなく、同時に、カード３の処理中にはシャッタープレート１０のフラップ１０ａがカード挿入口２を閉蓋するので、処理中のカード３の保護及び不正防止を図ることができる。
【産業上の利用可能性】
【００１７】
本発明は、各種視聴覚機器等のタイマー装置、遊技機やカード発券機に幅広く適用できる。
【図面の簡単な説明】
【００１８】
【図１】本発明に係るカードリーダライタユニットの待機状態を示す側面図である。
【図２】本発明に係るカードリーダライタユニットのカード処理中の状態を示す側面図である。
【符号の説明】
【００１９】
１    カードリーダライタユニット本体
１ａ  可動フレーム
１ｂ  固定フレーム
２    カード挿入口
３    カード
４    リードライト部
５    カードストック部
６    カード搬送手段
６ａ  上側従動ローラ
６ｂ  下側駆動ローラ
７    駆動モータ
８    減速機
９    ゲート
１０  シャッタープレート
１０ａフラップ
１０ｂ突条
１０ｃ支軸
１１  カードリフト用ギャードモータ
１２  カードリフト用カム
１３  スプリング
１４  カード保持板
１５  センサー
【図１】
2005092776.tif 000003
【図２】
2005092776.tif 000004